(57)【要約】【課題】ＴＦＣＩの復号結果を得るために要する処理量を削減し、消費電力と処理時間を削減する。【解決手段】受信信号系列とすべてのＴＦＣＩ符号語との相関値を順次算出し、相関値がしきい値を越えた場合にはそのＴＦＣＩ符号語に対応するＴＦＣＩを復号結果として出力し、以降の相関値算出を中止する。また、しきい値を上位レイヤから通知された使用されるＴＦＣＩ数を元に決定することにより、相関復号を行う場合に比べても遜色ない誤り訂正能力を得る。【選択図】図１
2005184406.tif 000002
【特許請求の範囲】
【請求項１】
ＴＦＣＩを復号する方式において、受信信号系列とＴＦＣＩ符号語との相関値を順次演算し、その相関値と上位レイヤから通知された使用されるＴＦＣＩ数を元に決定したしきい値とを比較し、
しきい値を越える相関値が検出された場合には直ちにその相関値に対応するＴＦＣＩを復号結果として出力し、処理を終了する
ことを特徴とするＴＦＣＩ復号方式。
【請求項２】
ＴＦＣＩを復号する手段を有する装置において、受信信号系列とＴＦＣＩ符号語との相関値を順次演算し、その相関値と上位レイヤから通知された使用されるＴＦＣＩ数を元に決定したしきい値とを比較し、
しきい値を越える相関値が検出された場合には直ちにその相関値に対応するＴＦＣＩを復号結果として出力し、処理を終了する手段を有する
ことを特徴とする装置。
【発明の詳細な説明】
【技術分野】
【０００１】
移動通信方式ＩＭＴ―２０００（International Mobile Telecommunications―２０００）の無線アクセス方式である広帯域ＤＳ―ＣＤＭＡ方式（いわゆるＷ―ＣＤＭＡ方式）における、ＴＦＣＩ（Transmission Format Combination Indicator）の復号方法に関する。
【背景技術】
【０００２】
Ｗ―ＣＤＭＡ方式の移動体通信システムでは、可変レートデータ伝送のためにＴＦＣＩが用いられている。
ＴＦＣＩは、適応的に伝送データフォーマットが変化する通信を行う際に、当該フレームの伝送データフォーマットを示す指標である。ＴＦＣＩは拡張された直交符号に符号化されて伝送データと共に伝送される。
【０００３】
使用されるＴＦＣＩ数は、適応的に変化するデータフォーマットの組み合わせの数に応じて物理レイヤより上位のレイヤ（以降、「上位レイヤ」と省略する）において選択され、例えばＷ―ＣＤＭＡ方式の上り回線では最大１０２４個まで用いられる。ただし、最大値である１０２４個すべてが用いられることは稀であり、ＴＦＣＩ番号の若いものから順に必要なデータフォーマットの組み合わせの数だけ用いられる。この使用されるＴＦＣＩ数は、通信確立時に上位レイヤから送受信機に通知され、双方で既知の値である。
【０００４】
従来ＴＦＣＩの復号方法として、受信機において受信した受信信号系列とすべてのＴＦＣＩ符号語との相関値を演算し、最も相関の大きいＴＦＣＩ符号語を、送られたＴＦＣＩ符号語であると推定する相関復号法が用いられている。また、相関復号法では高速アダマール変換の手法を用いて演算量の削減が図られている。
さらに、上位レイヤから通知された使用されるＴＦＣＩ番号群により、復号結果とするＴＦＣＩ候補を限定することにより、処理量を削減する装置および方法が提案されている。
【０００５】
【特許文献１】特許第３３９９９２３号公報
【発明の開示】
【発明が解決しようとする課題】
【０００６】
しかしながら相関復号法は、使用されるＴＦＣＩ数が少ない場合には、すべてのＴＦＣＩ符号語との相関値を計算することにより演算量の増加を招き、消費電力と処理時間が増大してしまう問題がある。
また、上位レイヤから通知された使用されるＴＦＣＩ番号群により、復号結果とするＴＦＣＩ候補を限定する方法では、限定されたすべての候補となるＴＦＣＩ符号語について相関値を演算する必要があった。
本発明はこれらの問題を解決するものである。
【課題を解決するための手段】
【０００７】
上記の問題を解決するために、本発明の請求項1に記載の発明においては、ＴＦＣＩを復号する方式において、受信信号系列とＴＦＣＩ符号語との相関値を順次演算し、その相関値と上位レイヤから通知された使用されるＴＦＣＩ数を元に決定したしきい値とを比較し、しきい値を越える相関値が検出された場合には直ちにその相関値に対応するＴＦＣＩを復号結果として出力し、処理を終了するものである。
【０００８】
また、請求項２の発明においては、ＴＦＣＩを復号する手段を有する装置において、受信信号系列とＴＦＣＩ符号語との相関値を順次演算し、その相関値と上位レイヤから通知された使用されるＴＦＣＩ数を元に決定したしきい値とを比較し、
しきい値を越える相関値が検出された場合には直ちにその相関値に対応するＴＦＣＩを復号結果として出力し、処理を終了するものである。
【発明の効果】
【０００９】
本発明によれば、しきい値を用いて相関値の演算をすべてのＴＦＣＩ符号語に対して行わず途中で打ち切ることにより、演算量が削減できる。本発明は、ＴＦＣＩ候補を限定する方法に比べて、相関値の演算は平均して１／２程度に削減でき、これにより、低消費電力化と処理時間の短縮が実現できる。
また、上位レイヤから通知された使用されるＴＦＣＩ数を元にしてしきい値を適切に選ぶことにより、誤り訂正の効果の劣化を抑えることができる。
【発明を実施するための最良の形態】
【００１０】
本発明の実施形態を図１に示す。なお、以下の説明ではＴＦＣＩ符号語の最大個数は１０２４個であるものとし、それらは０番〜１０２３番の番号で表されるものとする。また、１つのＴＦＣＩ符号語は、３２ビットで構成されるものとして説明する。
図１において、復調部１０１は、符号化されて送信されたＴＦＣＩ系列を含む受信信号を復調してＴＦＣＩメモリ１０２へ出力する。ＴＦＣＩメモリ１０２は、１つのＴＦＣＩ符号語に相当する復調された受信ＴＦＣＩ系列を蓄積する。
【００１１】
ＴＦＣＩ符号語生成部１０３では、０番から順にＴＦＣＩ符号語を生成して、相関値算出部１０４へ出力する。ＴＦＣＩ符号語生成部１０３は、１つの受信ＴＦＣＩ系列に対して最大１０２４個のＴＦＣＩ符号語を出力するが、相関値検出部１０６によりしきい値を越える相関値が検出された場合には、直ちにその動作を停止する。
相関値算出部１０４は、ＴＦＣＩメモリ１０２に蓄えられた受信ＴＦＣＩ系列と、ＴＦＣＩ符号語生成部１０３から出力されたＴＦＣＩ符号語との相関値を算出し、相関値検出部１０６へ出力する。なお、相関値の算出に例えば高速アダマール変換を用いることにより演算量を削減することができる。
【００１２】
しきい値決定部１０５では、上位レイヤより通知された使用ＴＦＣＩ数を元にしきい値を決定し、相関値検出部１０６へ出力する。しきい値は、使用するＴＦＣＩ数から使用するＴＦＣＩ符号語の最小距離を求め、最小距離の１／２とすることで決定される。
例えばＷ―ＣＤＭＡ方式で使用されるＴＦＣＩの場合において、ＴＦＣＩが最大数（１０２４個）用いられることが上位レイヤより通知された場合には、使用されるＴＦＣＩ符号の最小距離ｄｍｉｎ＝１２であるため、これよりしきい値ｔ0は以下のように決定する。
2005184406.tif 000003
また、使用されるＴＦＣＩ数が６４個以下である場合は、最小距離ｄｍｉｎ＝１６であるため、しきい値ｔ0＝８とする。この使用されるＴＦＣＩ数と最小距離の関係は、ＴＦＣＩ数毎に最小距離の１／２の値を求めておき、テーブル化することにより実現できる。ただし、ここで示したしきい値決定方法は一例であり、ＴＦＣＩ符号語が一部パンクチャされて送信される場合などは、最適なしきい値の決定方法が変わる可能性がある。
【００１３】
相関値検出部１０６は、相関値算出部１０４からの相関値がしきい値決定部１０５からのしきい値を越えているかを判定し、しきい値を越えていた場合にはその相関値に対応するＴＦＣＩを復号結果として出力する。このとき、復号終了信号をＴＦＣＩ符号語生成部１０３へ出力してＴＦＣＩ復号動作を停止させる。
【００１４】
以上のように、受信信号系列とすべてのＴＦＣＩ符号語の相関値を順次求め、しきい値を越えた場合には対応するＴＦＣＩ復号結果を出力し、直ちに動作を停止することで処理量と処理時間を削減する。
また、本発明によるＴＦＣＩの復号誤り率は、しきい値を使用ＴＦＣＩ数によって変更することにより、相関復号を行う場合に比べても遜色ない誤り訂正能力を得ることができる。本発明による方法と従来方法の誤り率比較を、図２および図３に示す。
【実施例】
【００１５】
本発明による受信装置の実施例を図４に示す。
復調部２０１は、送信された符号化ＴＦＣＩ系列を含む受信信号を復調し、出力する。
硬判定部２０２は、復調された受信信号から受信ＴＦＣＩ信号を抽出し‘０’もしくは‘１’に硬判定することで、受信ＴＦＣＩ系列を生成する。
ＴＦＣＩメモリ２０３は、１つのＴＦＣＩ符号語に相当する受信ＴＦＣＩ系列を蓄積する。
ＴＦＣＩ番号カウンタ２０４は、１つの受信ＴＦＣＩ系列の復号に際し、０から順に最大１０２３までのＴＦＣＩ番号を出力するカウンタである。
【００１６】
ＴＦＣＩ符号器２０５は、ＴＦＣＩ番号カウンタ２０４が示すＴＦＣＩ番号に対応するＴＦＣＩ符号語を出力する。例えばすべてのＴＦＣＩ符号語をテーブルで持ち、ＴＦＣＩ番号によりアドレッシングすることでＴＦＣＩ符号語を生成する。
排他的論理和演算部２０６は、ＴＦＣＩメモリ２０３に蓄積された受信ＴＦＣＩ系列と、ＴＦＣＩ符号器２０５から出力されたＴＦＣＩ符号語とを、各ビット毎に排他的論理和を演算し、その演算結果を出力する。
【００１７】
ビット数カウンタ２０７は、排他的論理和演算部２０６から出力された３２ビットの演算結果から、‘１’であるビットの数をカウントし、その数を出力する。
しきい値テーブル２０８は、使用するＴＦＣＩ数毎に使用されるＴＦＣＩ符号語の最小距離求めておき、その最小距離の１／２の値をテーブル化しておくことで実現される。
比較部２０９は、ビットカウンタ２０７からのカウント値がしきい値を越えているかどうかを比較し、しきい値を越えていた場合には、制御信号を制御部２１０に出力する。
制御部２１０は、比較部２０９から制御信号が入力されると、そのときのＴＦＣＩ番号カウンタ２０４の出力値をＴＦＣＩ復号結果として出力すると共に、ＴＦＣＩ番号カウンタ２０４の動作を停止させて、復号処理を停止する。
【図面の簡単な説明】
【００１８】
【図１】本発明の実施形態
【図２】本発明による方法と従来方法の誤り率比較（使用ＴＦＣＩ数６４）
【図３】本発明による方法と従来方法の誤り率比較（使用ＴＦＣＩ数１０２４）
【図４】本発明の実施例
【符号の説明】
【００１９】
１０１  復調部                  １０２  ＴＦＣＩメモリ
１０３  ＴＦＣＩ符号語生成部    １０４  相関値算出部
１０５  しきい値決定部          １０６  相関値検出部
２０１  復調部                  ２０２  硬判定部
２０３  ＴＦＣＩメモリ          ２０４  ＴＦＣＩ番号カウンタ
２０５  ＴＦＣＩ符号器          ２０６  排他的論理和演算部
２０７  ビット数カウンタ        ２０８  しきい値テーブル
２０９  比較部                  ２１０  制御部
【図１】
2005184406.tif 000004
【図２】
2005184406.tif 000005
【図３】
2005184406.tif 000006
【図４】
2005184406.tif 000007